【手続補正書】
【提出日】令和3年6月24日(2021.6.24)
【手続補正１】
【補正対象書類名】明細書
【補正対象項目名】００２７
【補正方法】変更
【補正の内容】
【００２７】
また、図５に示された歯周測定値は、図６〜図９に示されたようなマップなど、歯肉線変化マップ上に配置され得る。
なお、以上の各実施形態に加えて以下の態様について付記する。
（付記１）
歯肉線の変化を追跡する方法であって、
歯及び歯肉の第１及び第２のデジタル３Ｄモデルを受信するステップであって、前記第１のデジタル３Ｄモデルは、第１の時間に取得されたものであり、前記第２のデジタル３Ｄモデルは、前記第１の時間よりも遅い第２の時間に取得されたものである、受信するステップと、
前記第１及び第２のデジタル３Ｄモデルをセグメント化して、前記歯肉から前記歯をデジタル的に識別し、歯肉のセグメント化された第１及び第２のデジタル３Ｄモデルを生成するステップと、
前記歯肉のセグメント化された第１のデジタル３Ｄモデルと前記歯肉のセグメント化された第２のデジタル３Ｄモデルとを比較して、前記歯肉のセグメント化された第１のデジタル３Ｄモデルと前記歯肉のセグメント化された第２のデジタル３Ｄモデルとの間の、歯肉線に関連する差異を判定することによって、前記歯肉線の変化を検出するステップと、
前記歯肉線の変化の指標を表示するステップと、
を含む、方法。
（付記２）
前記表示するステップは、歯肉線変化マップを表示することを含む、付記１に記載の方法。
（付記３）
前記表示するステップは、前記歯肉線の位置を示す第１の線を前記第１のデジタル３Ｄモデルに表示し、前記歯肉線の位置を示す第２の線を前記第２のデジタル３Ｄモデルに表示することと、を含む、付記２に記載の方法。
（付記４）
前記表示するステップは、前記歯肉線の位置の差異を示すシェーディングを、前記第１及び第２のデジタル３Ｄモデルに表示することを含む、付記２に記載の方法。
（付記５）
前記表示するステップは、前記歯肉線の位置の差異を示す領域を、前記第１及び第２のデジタル３Ｄモデルに表示することを含む、付記２に記載の方法。
（付記６）
歯周測定値を表示する方法であって、
歯及び歯肉の第１及び第２のデジタル３Ｄモデルを受信するステップであって、前記第１のデジタル３Ｄモデルは、第１の時間に取得されたものであり、前記第２のデジタル３Ｄモデルは、前記第１の時間よりも遅い第２の時間に取得されたものである、受信するステップと、
前記第１及び第２のデジタル３Ｄモデルをセグメント化して、前記歯肉から前記歯をデジタル的に識別し、歯肉のセグメント化された第１及び第２のデジタル３Ｄモデルを生成するステップと、
前記第１のデジタル３Ｄモデル又は前記第２のデジタル３Ｄモデルに関する歯周測定値を受信するステップと、
前記第１のデジタル３Ｄモデル又は前記第２のデジタル３Ｄモデル上に配置された前記歯周測定値を表示するステップと、
を含む、方法。
（付記７）
歯肉線の変化を推定する方法であって、
歯及び歯肉のデジタル３Ｄモデルを受信するステップと、
前記デジタル３Ｄモデルをセグメント化して、前記歯肉から前記歯をデジタル的に識別し、歯肉のセグメント化されたデジタル３Ｄモデルを生成するステップと、
前記デジタル３Ｄモデルにおける前記歯肉線の元の位置を予測して、予測された元の位置のデジタル３Ｄモデルを取得するステップと、
前記歯肉のセグメント化されたデジタル３Ｄモデルを前記予測された元の位置のデジタル３Ｄモデルと比較して、前記歯及び歯肉のデジタル３Ｄモデルにおける歯肉線の変化を推定するステップと、
を含む、方法。
（付記８）
前記比較するステップは、前記歯肉のセグメント化されたデジタル３Ｄモデルを、前記予測された元の位置の前記デジタル３Ｄモデルと位置合わせすることを含む、付記７に記載の方法。
（付記９）
前記予測するステップは、歯及び歯肉のデジタル３Ｄモデルに対応する患者の特性に基づいて、歯及び歯肉の既知のデジタルモデルから歯及び歯肉のデジタルモデルを選択することを含む、付記７に記載の方法。
（付記１０）
前記推定された歯肉線の変化の視覚的指標を提供する歯肉線変化マップを表示するステップを更に含む、付記７に記載の方法。
（付記１１）
歯肉線の変化を追跡するシステムであって、
歯及び歯肉の第１及び第２のデジタル３Ｄモデルを受信するモジュールであって、前記第１のデジタル３Ｄモデルは、第１の時間に取得されたものであり、前記第２のデジタル３Ｄモデルは、前記第１の時間よりも遅い第２の時間に取得されたものである、受信するモジュールと、
前記第１及び第２のデジタル３Ｄモデルをセグメント化して、前記歯肉から前記歯をデジタル的に識別し、歯肉のセグメント化された第１及び第２のデジタル３Ｄモデルを生成するモジュールと、
前記歯肉のセグメント化された第１のデジタル３Ｄモデルと前記歯肉のセグメント化された第２のデジタル３Ｄモデルとを比較して、前記歯肉のセグメント化された第１のデジタル３Ｄモデルと前記歯肉のセグメント化された第２のデジタル３Ｄモデルとの間の、歯肉線に関連する差異を判定することによって、前記歯肉線の変化を検出するモジュールと、
前記歯肉線の変化の指標を表示するモジュールと、
を備える、システム。
（付記１２）
前記表示するモジュールは、歯肉線変化マップを表示するモジュールを備える、付記１１に記載のシステム。
（付記１３）
前記表示するモジュールは、前記歯肉線の位置を示す第１の線を前記第１のデジタル３Ｄモデルに表示し、前記歯肉線の位置を示す第２の線を前記第２のデジタル３Ｄモデルに表示するモジュールを備える、付記１２に記載のシステム。
（付記１４）
前記表示するモジュールは、前記歯肉線の位置の差異を示すシェーディングを、前記第１及び第２のデジタル３Ｄモデルに表示するモジュールを備える、付記１２に記載のシステム。
（付記１５）
前記表示するモジュールは、前記歯肉線の位置の差異を示す領域を、前記第１及び第２のデジタル３Ｄモデルに表示するモジュールを備える、付記１２に記載のシステム。
（付記１６）
歯周測定値を表示するシステムであって、
歯及び歯肉の第１及び第２のデジタル３Ｄモデルを受信するモジュールであって、前記第１のデジタル３Ｄモデルは、第１の時間に取得されたものであり、前記第２のデジタル３Ｄモデルは、前記第１の時間よりも遅い第２の時間に取得されたものである、受信するモジュールと、
前記第１及び第２のデジタル３Ｄモデルをセグメント化して、前記歯肉から前記歯をデジタル的に識別し、歯肉のセグメント化された第１及び第２のデジタル３Ｄモデルを生成するモジュールと、
前記第１のデジタル３Ｄモデル又は前記第２のデジタル３Ｄモデルに関する歯周測定値を受信するモジュールと、
前記第１のデジタル３Ｄモデル又は前記第２のデジタル３Ｄモデル上に配置された前記歯周測定値を表示するモジュールと、
を備える、システム。
（付記１７）
歯肉線の変化を推定するシステムであって、
歯及び歯肉のデジタル３Ｄモデルを受信するモジュールと、
前記デジタル３Ｄモデルをセグメント化して、前記歯肉から前記歯をデジタル的に識別し、歯肉のセグメント化されたデジタル３Ｄモデルを生成するモジュールと、
前記デジタル３Ｄモデルにおける前記歯肉線の元の位置を予測して、予測された元の位置のデジタル３Ｄモデルを取得するモジュールと、
前記歯肉のセグメント化されたデジタル３Ｄモデルを前記予測された元の位置のデジタル３Ｄモデルと比較して、前記歯及び歯肉のデジタル３Ｄモデルにおける歯肉線の変化を推定するモジュールと、
を備える、システム。
（付記１８）
前記比較するモジュールは、前記歯肉のセグメント化されたデジタル３Ｄモデルを、前記予測された元の位置の前記デジタル３Ｄモデルと位置合わせするモジュールを備える、付記１７に記載のシステム。
（付記１９）
前記予測するモジュールは、歯及び歯肉のデジタル３Ｄモデルに対応する患者の特性に基づいて、歯及び歯肉の既知のデジタルモデルから歯及び歯肉のデジタルモデルを選択するモジュールを備える、付記１７に記載のシステム。
（付記２０）
前記推定された歯肉線の変化の視覚的指標を提供する歯肉線変化マップを表示するモジュールを更に備える、付記１７に記載のシステム。
【手続補正２】
【補正対象書類名】特許請求の範囲
【補正対象項目名】全文
【補正方法】変更
【補正の内容】
【特許請求の範囲】
【請求項１】
歯肉線の変化を追跡する方法であって、
歯及び歯肉の第１及び第２のデジタル３Ｄモデルを受信するステップであって、前記第１のデジタル３Ｄモデルは、第１の時間に取得されたものであり、前記第２のデジタル３Ｄモデルは、前記第１の時間よりも遅い第２の時間に取得されたものである、受信するステップと、
前記第１及び第２のデジタル３Ｄモデルをセグメント化して、前記歯肉から前記歯をデジタル的に識別し、歯肉のセグメント化された第１及び第２のデジタル３Ｄモデルを生成するステップと、
前記歯肉のセグメント化された第１のデジタル３Ｄモデルと前記歯肉のセグメント化された第２のデジタル３Ｄモデルとを比較して、前記歯肉のセグメント化された第１のデジタル３Ｄモデルと前記歯肉のセグメント化された第２のデジタル３Ｄモデルとの間の、歯肉線に関連する差異を判定することによって、前記歯肉線の変化を検出するステップと、
前記歯肉線の変化の指標を表示するステップと、
を含む、方法。
【請求項２】
歯周測定値を表示する方法であって、
歯及び歯肉の第１及び第２のデジタル３Ｄモデルを受信するステップであって、前記第１のデジタル３Ｄモデルは、第１の時間に取得されたものであり、前記第２のデジタル３Ｄモデルは、前記第１の時間よりも遅い第２の時間に取得されたものである、受信するステップと、
前記第１及び第２のデジタル３Ｄモデルをセグメント化して、前記歯肉から前記歯をデジタル的に識別し、歯肉のセグメント化された第１及び第２のデジタル３Ｄモデルを生成するステップと、
前記第１のデジタル３Ｄモデル又は前記第２のデジタル３Ｄモデルに関する歯周測定値を受信するステップと、
前記第１のデジタル３Ｄモデル又は前記第２のデジタル３Ｄモデル上に配置された前記歯周測定値を表示するステップと、
を含む、方法。
【請求項３】
歯肉線の変化を推定する方法であって、
歯及び歯肉のデジタル３Ｄモデルを受信するステップと、
前記デジタル３Ｄモデルをセグメント化して、前記歯肉から前記歯をデジタル的に識別し、歯肉のセグメント化されたデジタル３Ｄモデルを生成するステップと、
前記デジタル３Ｄモデルにおける前記歯肉線の元の位置を予測して、予測された元の位置のデジタル３Ｄモデルを取得するステップと、
前記歯肉のセグメント化されたデジタル３Ｄモデルを前記予測された元の位置のデジタル３Ｄモデルと比較して、前記歯及び歯肉のデジタル３Ｄモデルにおける歯肉線の変化を推定するステップと、
を含む、方法。